(57)【要約】【課題】  咬合接触面積を狭くすることができ、咀嚼力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができるとともに審美性に優れた上顎用の人工臼歯及びそれに対合する下顎用の人工臼歯を提供する。【解決手段】  ブレード咬頭を有する上顎用の人工臼歯であって、少なくとも前記ブレード咬頭がジルコニア焼結体からなるものであること、および、該上顎用の人工臼歯と対合する下顎用の人工臼歯であって、前記ブレード咬頭と咬合する咬頭受面を有するものであることを特徴とする。【選択図】  図３
0003155831.tif 000002
【実用新案登録請求の範囲】
【請求項１】
ブレード咬頭を有する上顎用の人工臼歯であって、少なくとも前記ブレード咬頭がジルコニア焼結体からなるものであることを特徴とする人工臼歯。
【請求項２】
前記ブレード咬頭は、複数のブレードが交差部で交差したものであることを特徴とする請求項１記載の人工臼歯。
【請求項３】
前記ブレード咬頭は、凸円弧状の刃先縁を有する二つの板状ブレードが交差部で十字状に交差したものであることを特徴とする請求項２記載の人工臼歯。
【請求項４】
前記ブレード咬頭の一方のブレードは頬舌方向に沿っており、他方のブレードは近遠心方向に沿っていることを特徴とする請求項３記載の人工臼歯。
【請求項５】
前記頬舌方向のブレードは、近心側に向かって所定の角度で傾斜していることを特徴とする請求項４記載の人工臼歯。
【請求項６】
前記人工臼歯は、咬合面に一つの咬頭を有し、該咬頭が前記ブレード咬頭からなることを特徴とする請求項１、２、３、４または５記載の人工臼歯。
【請求項７】
前記人工臼歯は、咬合面に舌側咬頭と頬側咬頭を有し、前記舌側咬頭が前記ブレード咬頭であることを特徴とする請求項１、２、３、４または５記載の人工臼歯。
【請求項８】
前記人工臼歯は、咬合面に近心舌側咬頭、遠心舌側咬頭、近心頬側咬頭、および、遠心頬側咬頭を有し、前記近心舌側咬頭が前記ブレード咬頭であることを特徴とする請求項１、２、３、４または５記載の人工臼歯。
【請求項９】
前記人工臼歯がジルコニア焼結体からなるものであることを特徴とする請求項１ないし請求項８のいずれかに記載の人工臼歯。
【請求項１０】
前記ブレード咬頭が形成された咬頭部材が、上顎用のレジン臼歯本体部材に固定されてなることを特徴とする請求項１ないし請求項８のいずれかに記載の人工臼歯。
【請求項１１】
前記咬頭部材は、前記ブレード咬頭が板状ベースの表側に設けられ、該板状ベースの裏側にアンダーカットを有する突起部が設けられてなるもので、
該突起部が前記レジン臼歯本体部材に埋設されてなることを特徴とする請求項１０に記載の人工臼歯。
【請求項１２】
前記人工臼歯は、第１小臼歯、第２小臼歯、第１大臼歯、または、第２大臼歯のいずれかであることを特徴とする請求項１ないし請求項１１のいずれかに記載の人工臼歯。
【請求項１３】
前記人工臼歯は、第１小臼歯、第２小臼歯、第１大臼歯、及び、第２大臼歯の４歯のうち少なくとも２歯が天然歯の順に従い一体連結されてなることを特徴とする請求項１ないし請求項１１のいずれかに記載の人工臼歯。
【請求項１４】
請求項１ないし請求項１３のうちのいずれかに記載の人工臼歯と対合する下顎用の人工臼歯であって、前記ブレード咬頭と咬合する咬頭受面を有することを特徴とする人工臼歯。
【請求項１５】
前記咬頭受面は、臼状凹湾曲面であって、前記人工臼歯のブレード咬頭による咀嚼を可能とすることを特徴とする請求項１４記載の人工臼歯。
【請求項１６】
前記人工臼歯がジルコニア焼結体からなるものであることを特徴とする請求項１４または１５記載の人工臼歯。
【請求項１７】
前記人工臼歯がレジンからなるものであることを特徴とする請求項１４または１５記載の人工臼歯。
【請求項１８】
前記咬頭受面が形成された咬頭受部材がジルコニア焼結体からなり、該咬頭受部材が下顎用のレジン臼歯本体部材に固定されてなることを特徴とする請求項１４または請求項１５記載の人工臼歯。
【請求項１９】
前記咬頭受部材は、前記咬頭受面が板状ブロックの表側に形成され、該板状ブロックの裏側にアンダーカットを有する突起部が設けられなるもので、
該突起部が前記レジン臼歯本体部材に埋設されてなることを特徴とする請求項１８に記載の人工臼歯。
【請求項２０】
前記人工臼歯は、第１小臼歯、第２小臼歯、第１大臼歯、または、第２大臼歯のいずれかであることを特徴とする請求項１４ないし請求項１９のいずれかに記載の人工臼歯。
【請求項２１】
前記人工臼歯は、第１小臼歯、第２小臼歯、第１大臼歯、及び、第２大臼歯の４歯のうち少なくとも２歯が天然歯の順に従い一体連結されてなることを特徴とする請求項１４ないし請求項１９のいずれかに記載の人工臼歯。
【請求項２２】
前記請求項１、２、３、４、５、６、７、８、９、１０、１１、１２、１３、１４、１５、１６、１８、１９、２０または２１記載におけるジルコニア焼結体が歯冠色に着色された焼結体であることを特徴とする人工臼歯。
【考案の詳細な説明】
【技術分野】
【０００１】
この考案は、人工臼歯に関するものである。さらに詳しくは、この考案は、ブレード咬頭を備えた上顎用の人工臼歯と該人工臼歯に対合する下顎用の人工臼歯に関するものである。
【背景技術】
【０００２】
従来、人工臼歯として、陶材、レジン、金属を使用したものが提供されており、患者の症状等に応じ、適宜選択され使用されている。
金属製の人工臼歯としては、例えば、非特許文献１や非特許文献２に記載されているものが知られている。
非特許文献１には、金属製のブレードが十字状に交差した歯冠に相当するサイズのブレード咬頭を有する上顎用の第２小臼歯、第１大臼歯、第２大臼歯に該当する３個のブレード咬頭が連結された連結臼歯が記載されている。非特許文献２には、レジン臼歯の近心舌側咬頭に対応した位置に金属製のブレードが十字状に交差した近心舌側咬頭に相当するサイズのブレード咬頭が設けられた上顎用の第２小臼歯、第１大臼歯、第２大臼歯の３種の個別臼歯のセットが記載されている。
【先行技術文献】
【非特許文献】
【０００３】
【非特許文献１】細井紀雄、平井敏博編「無歯顎補綴治療学」医師薬出版株式会社、２００４年９月１０日発行、ｐ．１９３  S-A  ブレード臼歯の項
【非特許文献２】奥野喜彦編「歯科技工辞典」医師薬出版株式会社、１９９１年９月１０日発行、Color Forum  ｐ．１９  レビンブレードの項
【考案の概要】
【考案が解決しようとする課題】
【０００４】
非特許文献１や非特許文献２に記載の連結臼歯によれば、ブレード咬頭により咬合接触面積を狭くすることで、咬合力が弱くても十分な咀嚼効果を得ることができ、しかも、脆弱な粘膜組織に対して加わる圧力を少なくでき、さらに義歯床の側方揺動を押さえることができ、そのため義歯の安定性がよく、床下組織を長期にわたって健全な状態に維持することができる利点を有するが、ブレード咬頭といった特異な形状を必要とし、陶材やレジンでは、このような咬頭に必要な物性等を満たすことができないことから、金属が使用されている。そのため、口腔内で使用すると、特異な形状でもあることと金属光沢が口腔内では周囲と同化しがたいことと相まって、目立ってしまい審美性に劣ることになる。
【０００５】
この考案は、上記のような実情に鑑み鋭意研究の結果創案されたものであり、咬合接触面積を狭くすることで、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができるとともに、審美性に優れた上顎用の人工臼歯及びそれに対合する下顎用の人工臼歯を提供することを目的としている。
【課題を解決するための手段】
【０００６】
上記課題を解決するために、この考案は、（１）ブレード咬頭を有する上顎用の人工臼歯であって、少なくとも前記ブレード咬頭がジルコニア焼結体からなるものであることを特徴とする。
（２）前記（１）において、前記ブレード咬頭は、複数のブレードが交差部で交差したものであることが好ましい。
（３）前記（２）において、前記ブレード咬頭は、凸円弧状の刃先縁を有する二つの板状ブレードが交差部で十字状に交差したものであることが好ましい。
（４）前記（３）において、前記ブレード咬頭の一方のブレードは頬舌方向に沿っており、他方のブレードは近遠心方向に沿っていることが好ましい。
（５）前記（４）において、前記頬舌方向のブレードは、近心側に向かって所定の角度で傾斜していることが好ましい。
（６）前記（１）、（２）、（３）、（４）または（５）において、前記人工臼歯は、咬合面に一つの咬頭を有し、該咬頭が前記ブレード咬頭からなることが好ましい。
また、（７）前記（１）、（２）、（３）、（４）または（５）において、前記人工臼歯は、咬合面に舌側咬頭と頬側咬頭を有し、前記舌側咬頭が前記ブレード咬頭であってもよい。
また、（８）前記（１）、（２）、（３）、（４）または（５）において、前記人工臼歯は、咬合面に近心舌側咬頭、遠心舌側咬頭、近心頬側咬頭、および、遠心頬側咬頭を有し、前記近心舌側咬頭が前記ブレード咬頭であってもよい。
（９）前記（１）ないし（８）のいずれかにおいて、前記人工臼歯がジルコニア焼結体からなるものであってもよい。
（１０）前記（１）ないし（８）のいずれかにおいて、前記ブレード咬頭が形成された咬頭部材が、上顎用のレジン臼歯本体部材に固定されていてもよい。
（１１）前記（１０）において、前記咬頭部材は、前記ブレード咬頭が板状ベースの表側に設けられ、該板状ベースの裏側にアンダーカットを有する突起部が設けられてなるもので、該突起部が前記レジン臼歯本体部材に埋設されてなることが好ましい。
（１２）前記（１）ないし（１１）のいずれかにおいて、前記人工臼歯は、第１小臼歯、第２小臼歯、第１大臼歯、または、第２大臼歯のいずれかであってもよい。
（１３）前記（１）ないし（１１）のいずれかにおいて、前記人工臼歯は、第１小臼歯、第２小臼歯、第１大臼歯、及び、第２大臼歯の４歯のうち少なくとも２歯が天然歯の順に従い一体連結されていてもよい。
そして、（１４）前記（１）ないし（１３）のうちのいずれかの人工臼歯と対合する下顎用の人工臼歯であって、前記ブレード咬頭と咬合する咬頭受面を有することが好ましい。
（１５）前記（１４）において、前記咬頭受面は、臼状凹湾曲面であって、前記人工臼歯のブレード咬頭による咀嚼を可能とすることが好ましい。
（１６）前記（１４）または（１５）において、前記人工臼歯がジルコニア焼結体からなるものであることが好ましい。
（１７）前記（１４）または（１５）において、前記人工臼歯がレジンからなるものであってもよい。
（１８）前記（１４）または（１５）において、前記咬頭受面が形成された咬頭受部材がジルコニア焼結体からなり、該咬頭受部材が下顎用のレジン臼歯本体部材に固定されていてもよい。
（１９）前記（１８）において、前記咬頭受部材は、前記咬頭受面が板状ブロックの表側に形成され、該板状ブロックの裏側にアンダーカットを有する突起部が設けられなるもので、該突起部が前記レジン臼歯本体部材に埋設されてなることが好ましい。
（２０）前記（１４）ないし（１９）のいずれかにおいて、前記人工臼歯は、第１小臼歯、第２小臼歯、第１大臼歯、または、第２大臼歯のいずれかであってもよい。
（２１）前記（１４）ないし（１９）のいずれかにおいて、前記人工臼歯は、第１小臼歯、第２小臼歯、第１大臼歯、及び、第２大臼歯の４歯のうち少なくとも２歯が天然歯の順に従い一体連結されていてもよい。
そして、（２２）前記（１）、（２）、（３）、（４）、（５）、（６）、（７）、（８）、（９）、（１０）、（１１）、（１２）、（１３）、（１４）、（１５）、（１６）、（１８）、（１９）、（２０）または（２１）におけるジルコニア焼結体が歯冠色に着色されてなることが好ましい。
【考案の効果】
【０００７】
この考案は、以上説明したように構成されているので、以下に記載されるような効果を奏する。
すなわち、この考案の上顎用の人工臼歯は、ブレード咬頭を有し、しかも、人工臼歯の少なくともブレード咬頭がジルコニア焼結体からなることから、耐久性、審美性に優れたものであり、また、咬合接触面積を狭くすることで、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができる。
また、この考案の上顎用の人工臼歯に対合する下顎用の人工臼歯であって、前記上顎用の人工臼歯のブレード咬頭と咬合する咬頭受面がジルコニア焼結体で形成されたものは、審美性に加え、耐久性にも優れる。
そして、ジルコニア焼結体は、金属とは異なり、違和感がなく、そのままであっても、人工臼歯として使用が可能であり、また、軽量であり、咬合時に金属的な音の発生がなく、また、清掃性がよく、耐変色性にも優れており、さらには、人工臼歯として好ましい色調に着色することが可能である。
【図面の簡単な説明】
【０００８】
【図１】この考案の上顎用の人工臼歯の一実施の形態であって、ジルコニア焼結体からなる上顎用連結臼歯として示されており、（ａ）は咬合面観、（ｂ）は近心面観、（ｃ）は頬側面観の説明図である。
【図２】この考案の下顎用の人工臼歯の一実施の形態であって、図１に示す上顎用の連結臼歯に対合する下顎用連結臼歯として示されており、ジルコニア焼結体からなり、（ａ）は咬合面観、（ｂ）は近心面観、（ｃ）は遠心面観、（ｄ）は頬側面観の説明図、（ｅ）はＡ−Ａ線断面図である。
【図３】図１に示す上顎用連結臼歯、図２に示す下顎用連結臼歯等が排列された義歯の咬合面観の説明図である。
【図４】図３に示す義歯の咬合時における上顎用連結臼歯、下顎用連結臼歯の咬合接触状態を示す説明図である。
【図５】この考案の上顎用の人工臼歯の他の実施の形態であって、ジルコニア焼結体からなる十字状のブレード咬頭を有する上顎用の個別の臼歯として示されており、（ａ）は咬合面観、（ｂ）は近心面観、（ｃ）は頬側面観の説明図である。
【図６】この考案の下顎用の人工臼歯の他の実施の形態であって、図５に示す上顎用臼歯に対合するジルコニア焼結体からなる下顎用の個別の臼歯として示されており、（ａ）は咬合面観、（ｂ）は近心面観、（ｃ）は遠心面観、（ｄ）は頬側面観の説明図である。
【図７】図５に示す上顎用臼歯、図６に示す下顎用臼歯等が排列された義歯の咬合面観の説明図である。
【図８】図７に示す義歯の咬合時における上顎用臼歯、下顎用臼歯の咬合接触状態を示す説明図である。
【図９】この考案の上顎用の人工臼歯のさらに他の実施の形態であって、（ａ）は咬合面観、（ｂ）は一部破断した近心面観の説明図である。
【図１０】この考案の上顎用の人工臼歯のさらに他の実施の形態であって、（ａ）は咬合面観、（ｂ）は一部破断した近心面観の説明図である。
【図１１】この考案の上顎用の人工臼歯のさらに他の実施の形態であって、（ａ）は咬合面観、（ｂ）は一部破断した近心面観の説明図である。
【図１２】この考案の上顎用の人工臼歯のさらに他の実施の形態であって、（ａ）は咬合面観、（ｂ）は一部破断した近心面観の説明図である。
【図１３】この考案の下顎用の人工臼歯のさらに他の実施の形態であって、（ａ）は咬合面観、（ｂ）は一部破断した近心面観の説明図である。
【図１４】この考案の下顎用の人工臼歯のさらに他の実施の形態であって、（ａ）は咬合面観、（ｂ）は一部破断した近心面観の説明図である。
【図１５】この考案の下顎用の人工臼歯のさらに他の実施の形態であって、（ａ）は咬合面観、（ｂ）は一部破断した近心面観の説明図である。
【図１６】この考案の下顎用の人工臼歯のさらに他の実施の形態であって、（ａ）は咬合面観、（ｂ）は一部破断した近心面観の説明図である。
【図１７】図９〜図１２に示す上顎用臼歯、図１３〜図１６に示す下顎用臼歯等が排列された義歯の咬合面観の説明図である。
【図１８】図１７に示す義歯の咬合時における上顎用臼歯、下顎用臼歯の咬合接触状態を示す説明図である。
【図１９】この考案の上顎用の人工臼歯のさらに他の実施の形態であって、（ａ）は咬合面観、（ｂ）は一部破断した近心面観の説明図である。
【図２０】この考案の上顎用の人工臼歯のさらに他の実施の形態であって、（ａ）は咬合面観、（ｂ）は一部破断した近心面観の説明図である。
【図２１】この考案の上顎用の人工臼歯のさらに他の実施の形態であって、（ａ）は咬合面観、（ｂ）は一部破断した近心面観の説明図である。
【図２２】この考案の上顎用の人工臼歯のさらに他の実施の形態であって、（ａ）は咬合面観、（ｂ）は一部破断した近心面観の説明図である。
【図２３】この考案の下顎用の人工臼歯のさらに他の実施の形態であって、（ａ）は咬合面観、（ｂ）は一部破断した近心面観の説明図である。
【図２４】この考案の下顎用の人工臼歯のさらに他の実施の形態であって、（ａ）は咬合面観、（ｂ）は一部破断した近心面観の説明図である。
【図２５】この考案の下顎用の人工臼歯のさらに他の実施の形態であって、（ａ）は咬合面観、（ｂ）は一部破断した近心面観の説明図である。
【図２６】この考案の下顎用の人工臼歯のさらに他の実施の形態であって、（ａ）は咬合面観、（ｂ）は一部破断した近心面観の説明図である。
【図２７】図１９〜図２２に示す上顎用臼歯、図２３〜図２６に示す下顎用臼歯等が排列された義歯の咬合面観の説明図である。
【図２８】図２７に示す義歯の咬合時における上顎用臼歯、下顎用臼歯の咬合接触状態を説明図である。
【図２９】この考案の上顎用の人工臼歯のさらに他の実施の形態であって、（ａ）は咬合面観、（ｂ）は一部破断した近心面観の説明図である。
【考案を実施するための形態】
【０００９】
以下、図面に基づきこの考案の最良の形態を更に詳細に説明する。もちろんこの考案は以下の態様によって限定されるものではない。
図１は、この考案の上顎用の人工臼歯の一実施の形態であって、ジルコニア焼結体からなる上顎用連結臼歯として示されており、（ａ）は咬合面観、（ｂ）は近心面観、（ｃ）は頬側面観である。この上顎用連結臼歯１は正中線に対し右側の臼歯列として示されており、正中線に対し左側の連結臼歯は、正中線に対し鏡面対称となることから、図示、説明は省略する（以下同様）。
【００１０】
図１に示す上顎用連結臼歯１は、遠心から近心に向かってそれぞれ第２大臼歯、第１大臼歯、第２小臼歯、及び、第１小臼歯に相当するサイズのブレード咬頭２、３、４、５が円板状のベース６、７、８、９の表側（咬合面側）に突設され、各ベースによって一体に連結されたもので、ベース６、７、８、９の裏側（基底面）にはアンダーカットを有する突起部１０が近遠心方向に沿って直線状に突設されているものである。
【００１１】
上顎用連結臼歯１のブレード咬頭２、３、４、５、ベース６、７、８、９のサイズはほぼ同一としているが、これに限られるものではない。各ブレード咬頭は、凸円弧状の刃先縁を有する二つの板状ブレードが交差部で十字状に交差したものであって、一方のブレード２ａ、３ａ、４ａ、５ａは頬舌方向に沿っており、他方のブレード２ｂ、３ｂ、４ｂ、５ｂは近遠心方向に沿っている。そして、頬舌方向のブレード２ａ、３ａ、４ａ、５ａは近心側に向かって所定の角度で傾斜しているがこれに限られるものではなく、垂直であってもよい。近遠心方向のブレード２ｂ、３ｂ、４ｂ、５ｂは、ベース６、７、８、９に対し垂直に突設している。
ベース６、７、８、９の裏側に突設されたアンダーカットを有する突起部１０は、義歯床に埋設され、上顎用連結臼歯１が義歯床から脱落するのを確実に防止することになる。
【００１２】
図１に示す上顎用連結臼歯１を製造するには、例えば、（ｉ）ブロック成形型にジルコニア粉末を充填してブロック形状を付与し、次いで、仮焼成して仮焼成ブロックを得、得られた仮焼成ブロックをＣＡＤ／ＣＡＭ等の加工手段によって本焼成による収縮を加味して連結臼歯の形状に加工した後、本焼成する方法、（ｉｉ）仮焼成、本焼成による収縮を加味した連結臼歯成形型にジルコニア粉末を充填して連結臼歯の形状を付与し、得られた連結臼歯を焼成する（仮焼成から本焼成までを連続して行う）方法、または、形状付与された連結臼歯を仮焼成し、必要に応じ、形状修正を行った後、本焼成する方法が採用できる。
これらの方法で得られる連結臼歯は、ジルコニアの色調である白色系の色を呈するものの、従来の金属連結臼歯と比べれば、審美性が良好であって、そのまま使用することもできるが、歯冠色に着色することが好ましい。
【００１３】
歯冠色に着色する場合は、（ｉ）においては、ジルコニア粉末に歯冠色用の着色剤の粉末を添加することで着色する方法、または、仮焼成ブロックをＣＡＤ／ＣＡＭ等の加工手段によって本焼成による収縮を加味して連結臼歯の形状に加工した後、歯冠色用の着色剤の粉末を、例えば水で混和した混和液中に連結臼歯を浸漬させ、次いで、本焼成することで着色する方法が例示できる。
また、（ｉｉ）においては、ジルコニア粉末に歯冠色用の着色剤の粉末を添加することで着色する方法、または、歯冠色用の着色剤の粉末を、例えば水で混和した混和液中に仮焼成した連結臼歯を浸漬させ、次いで、本焼成することで着色する方法が例示できる。
そのほか、（ｉ）、（ｉｉ）によって得られた仮焼成後の連結臼歯に、歯科着色用の着色剤を築盛し、次いで、本焼成するようにしてもよい。
ジルコニア焼結体としては、ＺｒＯ２を主成分とし、Ｙ２Ｏ３等の安定化剤を添加したものが採用できる。
連結臼歯が歯冠色に着色されていると、審美性がさらに優れることになる。
前歯等の人工歯との色調の調和の面からすると、仮焼成後に着色する方法、または、築盛することで着色する方法が好ましい。
【００１４】
図２は、この考案の下顎用の人工臼歯の一実施の形態であって、図１に示す上顎用連結臼歯１に対合する下顎用連結臼歯として示されており、ジルコニア焼結体からなり、（ａ）は咬合面観、（ｂ）は近心面観、（ｃ）は遠心面観、（ｄ）は頬側面観、（ｅ）はＡ−Ａ線断面図である。この下顎用連結臼歯１１は正中線に対し右側の臼歯列として示されている。
【００１５】
図２に示す下顎用連結臼歯１１は、第２大臼歯部１２、第１大臼歯部１３、第２小臼歯部１４、第１小臼歯部１５、および、隣接歯との接合調節部１６が一体に連結されたもので、各臼歯は、頬舌幅が遠心側が幅広で、近心側が幅狭となっており、前記上顎用連結臼歯のブレード咬頭の咬頭受面として、遠心側が高く近心側に向かって低くなる臼状凹湾曲面が形成されている。
また、裏側（基底面）には、アンダーカットを有する突起部１７が近遠心方向に沿って直線状に突設されており、突起部１７を義歯床に埋設することで、下顎用連結臼歯１１が義歯床から脱落するのを確実に防止することになる。
【００１６】
図２に示す下顎用連結臼歯１１は、前記した上顎用連結臼歯と同様な方法で製造すればよいことから説明は省略する。
【００１７】
図１に示された上顎用連結臼歯１、図２に示された下顎用連結臼歯１１を使用した義歯は、例えば、以下のようにして作製すればよい。
通法に従って作製された上顎用の咬合床の蝋堤に、例えば、レジン製の上顎用前歯、下顎用の咬合床の蝋堤に、例えば、レジン製の下顎用前歯をそれぞれ排列する。次いで、上顎用咬合床の蝋堤の右側に上顎用連結臼歯１、左側に左用の上顎用連結臼歯を排列する。そして、下顎用咬合床の蝋堤の右側に下顎用連結臼歯１１、左側に左用の下顎用連結臼歯を排列する。下顎用咬合床の蝋堤に下顎用連結臼歯１１を排列する際、下顎用連結臼歯１１の接合調節部１６を、必要に応じて、削除したり、形態修正をしたりして、下顎犬歯から第１小臼歯への自然な移行を確保するとともに、上顎用咬合床に排列された上顎用連結臼歯１との咬合調整を行う。その後、上下顎用咬合床をそれぞれ石膏埋没、流蝋し、得られたキャビティ内に餅状レジンをそれぞれ充填し、その後、餅状レジンを重合させることで義歯を得ることができる。
【００１８】
図３に上顎用連結臼歯１、下顎用連結臼歯１１等が排列された義歯１９の咬合面観を示し、図４に義歯１９の咬合時における上顎用連結臼歯１、下顎用連結臼歯１１の咬合接触状態を示す。
【００１９】
図１に示す上顎用連結臼歯１は、ジルコニア焼結体からなり、十字状のブレード咬頭が連結されたものであって、耐久性、審美性に優れたものであり、また、咬合接触面積を狭くすることができ、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができる。
また、図２に示す下顎用連結臼歯１１もジルコニア焼結体で形成されており、審美性に加え、耐久性にも優れる。
そして、上下顎用連結臼歯は、必要とする色調に着色することが可能である。
【００２０】
上顎用連結臼歯としては、図１に示されたものに限られず、例えば、第１小臼歯を個別のレジン歯とし、第２大臼歯、第１大臼歯、及び、第２小臼歯が一体連結されたものであってもよく、その他、連続する少なくとも２種の臼歯が連結したものであってもよい。
そして、下顎用連結臼歯としては、図２に示されたものに限られず、例えば、第１小臼歯をレジン歯とし、第２大臼歯、第１大臼歯、及び、第２小臼歯が一体連結されたものであってもよく、その他、連続する少なくとも２種の臼歯が連結したものであってもよい。
【００２１】
図２に示す下顎用連結臼歯の素材全体をレジンとしてもよく、この場合は、義歯床との接着が良好なことから、裏側のアンダーカットを有する突起部を削除したものであってもよいし、下顎用連結臼歯の裏側に義歯床との接着を向上させるための維持孔や粗面を設けてもよい。
【００２２】
また、図２に示す下顎用連結臼歯を、例えば、上下に分割して、上側を連結咬頭受部材とし、その裏側にアンダーカットを有する突起部を設ける一方、下側を下顎用のレジン連結臼歯本体部材とし、両者を固定したものとしてもよい。連結咬頭受部材とレジン連結臼歯本体部材とを固定するには、例えば、レジン連結臼歯本体部材を成形する成形型内に、連結咬頭受部材を設置し、前記突起部を埋設するようにインサート成形して固定すればよい。この場合、レジン連結臼歯本体部材の裏側（下顎用連結臼歯の基底面となる。）のアンダーカットを有する突起部は削除してもよいし、レジン連結臼歯本体部材の裏側に義歯床との接着を向上させるための維持孔や粗面を設けてもよい。
【００２３】
図５は、この考案の上顎用の人工臼歯の他の実施の形態であって、ジルコニア焼結体からなる十字状のブレード咬頭を有する上顎用の個別の臼歯として示されており、（ａ）は咬合面観、（ｂ）は近心面観、（ｃ）は頬側面観である。この上顎用臼歯２１は正中線に対し右側の臼歯として示されている。
【００２４】
図５に示す上顎用臼歯２１は、図１に示す上顎用連結臼歯を個々に分割したものに相当するものであって、上顎用臼歯２１は、第２大臼歯、第１大臼歯、第２小臼歯、及び、第１小臼歯のいずれにも使用できるサイズとしているが、個々に異なるサイズであってもよい。
上顎用臼歯２１は、臼歯に相当するサイズのブレード咬頭２２が円板状のベース２３の表側（咬合面側）に突設され、ベース２３の裏側（基底面側）略中央からアンダーカットを有するピン状の突起部２４が突設されている他は、図１に示す上顎用連結臼歯１と同様であることから図示、説明は省略する。
また、上顎用臼歯２１の製造等も、図１に示す上顎用連結臼歯１の製造方法等に準じて行えばよいことから、説明は省略する。
【００２５】
図６は、この考案の下顎用の人工臼歯の他の実施の形態であって、図５に示す上顎用臼歯２１に対合するジルコニア焼結体からなる下顎用の個別の臼歯として示されており、（ａ）は咬合面観、（ｂ）は近心面観、（ｃ）は遠心面観、（ｄ）は頬側面観である。この下顎用臼歯３１は正中線に対し右側の臼歯として示されている。
【００２６】
図６の下顎用臼歯３１は、図２に示す下顎用連結臼歯を個々に分割し、それぞれに接合調節部が設けられたものの一つとして示している。各下顎用臼歯は、第２大臼歯、第１大臼歯、第２小臼歯、第１小臼歯に応じてそのサイズを異にすることが好ましいが、形状等が類似することから、図６においては、その一つの臼歯（第２大臼歯に該当）を示し、他の臼歯を省略する。下顎用臼歯３１は、裏側（基底面）の略中央からアンダーカットを有するピン状の突起部３２が突設されていること、臼歯部３３の近心に隣接歯との接合調節部３４を有している他は、図２で示した下顎用連結臼歯１１と同様であることから図示、説明は省略する。もちろん、各下顎用臼歯の形状、サイズ等が同一であってもよい。
また、下顎用臼歯３１の製造等も、図２に示す下顎用連結臼歯１１の製造方法等に準じて行えばよいことから、説明は省略する。
【００２７】
図５に示された上顎用臼歯２１、図６に示された下顎用臼歯３１を使用した義歯は、前記した連結臼歯が個別の臼歯となったものに相当することから、連結臼歯を使用した義歯の作製に準じて行えばよい。
すなわち、通法に従って作製された上顎用の咬合床の蝋堤に、例えば、レジン製の上顎用前歯、下顎用の咬合床の蝋堤に、例えば、レジン製の下顎用前歯をそれぞれ排列し、次いで、上顎用咬合床の蝋堤の右側に上顎用臼歯２１、左側に左用の上顎用臼歯を第１小臼歯から順に第２大臼歯まで排列する。そして、下顎用咬合床の蝋堤の右側に下顎用臼歯３１、左側に左用の下顎用臼歯を第１小臼歯から順に第２大臼歯まで排列する。下顎用咬合床の蝋堤に下顎用臼歯３１を排列する際、下顎用臼歯３１の接合調節部３４を、必要に応じて、削除したり、形態修正をしたりして、下顎犬歯から第１小臼歯、第１小臼歯から第２小臼歯、第２小臼歯から第１大臼歯、第１大臼歯から第２大臼歯への自然な移行を確保するとともに、上顎用咬合床に排列された上顎用臼歯との咬合調整を行う。その後、上下顎用咬合床をそれぞれ石膏埋没、流蝋し、得られたキャビティ内に餅状レジンをそれぞれ充填し、その後、餅状レジンを重合させることで義歯を得ることができる。
【００２８】
図７に上顎用臼歯２１、下顎用臼歯３１等が排列された義歯３５の咬合面観を示し、図８に義歯３５の咬合時における上顎用臼歯２１、下顎用臼歯３１の咬合接触状態を示す。
【００２９】
図５に示す上顎用臼歯２１は、ジルコニア焼結体からなり、十字状のブレード咬頭を有するものであって、耐久性、審美性に優れたものであり、また、咬合接触面積を狭くすることができ、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができる。
また、図６に示す下顎用臼歯３１もジルコニア焼結体で形成されており、審美性に加え、耐久性にも優れる。
そして、上下顎用臼歯は、必要とする色調に着色することが可能である。
【００３０】
また、上顎用臼歯、下顎用臼歯は、個別臼歯であることから、咬合床の蝋堤への排列において、図１の上顎用連結臼歯、図２の下顎用連結臼歯と比べ、排列の自由度が高く、個々の患者の症例に応ずることが容易である。
【００３１】
図６に示す下顎用臼歯の素材をレジンとしてもよく、この場合は、義歯床との接着が良好なことから、裏側のアンダーカットを有するピン状の突起部を削除したものであってもよいし、下顎用臼歯の裏側に義歯床との接着を向上させるための維持孔や粗面を設けてもよい。
【００３２】
また、図６に示す下顎用臼歯を、例えば上下に分割して、上側を咬頭受部材とし、その裏側にアンダーカットを有するピン状の突起部を設ける一方、下側を下顎用のレジン臼歯本体部材とし、両者を固定したものとしてもよい。咬頭受部材とレジン臼歯本体部材とを固定するには、例えば、レジン臼歯本体部材を成形する成形型内に、咬頭受部材を設置し、前記突起部を埋設するようにインサート成形して固定すればよい。この場合、レジン臼歯本体部材の裏側（下顎用臼歯の基底面となる。）のアンダーカットを有する突起部は削除してもよいし、レジン臼歯本体部材の裏側に義歯床との接着を向上させるための維持孔や粗面を設けてもよい。
【００３３】
なお、図２に示す下顎用連結臼歯の接合調節部、図６に示す下顎用臼歯の接合調節部は、必ずしも必要とされるものではない。
【００３４】
図９〜図１２は、この考案の上顎用の人工臼歯のさらに他の実施の形態であって、ジルコニア焼結体からなる十字状のブレード咬頭が形成された咬頭部材が、上顎用の個別のレジン臼歯本体部材に固定されてなるものとして示されており、図９は第１小臼歯、図１０は第２小臼歯、図１１は第１大臼歯、図１２は第２大臼歯であって、図９〜図１２において、それぞれ、（ａ）は咬合面観、（ｂ）は一部破断した近心面観である。図９〜図１２に示すこれら上顎用臼歯４１、５１、６１、７１は正中線に対し右側の臼歯として示されている。
【００３５】
図９〜図１２に示す上顎用臼歯４１、５１、６１、７１は、概略、レジン臼歯の咬合面側を欠除したレジン臼歯本体部材４２、５２、６２、７２に、欠除面に相当するサイズのジルコニア焼結体からなる咬頭部材４３、５３、６３、７３をインサート成形により固定したものである。咬頭部材４３、５３、６３、７３は、板状ベース４４、５４、６４、７４の表側（咬合面側）にブレード咬頭４５、５５、６５、７５が設けられ、裏側の略中央からアンダーカットを有するピン状の突起部４６、５６、６６、７６が突設されている。
レジン臼歯本体部材４２、５２、６２、７２と咬頭部材４３、５３、６３、７３は、レジン臼歯本体部材４２、５２、６２、７２を成形する成形型内に、咬頭部材４３、５３、６３、７３を設置し、突起部４６、５６、６６、７６を埋設するようにインサート成形することで固定すればよい。
咬頭部材４３、５３、６３、７３とレジン臼歯本体部材４２、５２、６２、７２とは、インサート成形により確実に固定される。
【００３６】
図９に示す第１小臼歯、図１０に示す第２小臼歯、図１１に示す第１大臼歯、図１２に示す第２大臼歯の咬頭部材、レジン臼歯本体部材はそれぞれサイズ、形状等が異なるものとして示されている。
咬頭部材４３、５３、６３、７３の形状等は、図５に示す上顎用臼歯２１とサイズが稍異なる他は、同様であるから、説明は省略する。
【００３７】
図１３〜図１６は、この考案の下顎用の人工臼歯のさらに他の実施の形態であって、図９〜図１２に示す上顎用臼歯に対合する下顎用臼歯であって、ジルコニア焼結体からなる咬頭受部材が下顎用の個別のレジン臼歯本体部材に固定されてなるものとして示されており、図１３は第１小臼歯、図１４は第２小臼歯、図１５は第１大臼歯、図１６は第２大臼歯であって、図１３〜図１６において、それぞれ、（ａ）は咬合面観、（ｂ）は一部破断した近心面観である。図１３〜図１６に示すこれら下顎用臼歯８１、９１、１０１、１１１は正中線に対し右側の臼歯として示されている。
【００３８】
図１３〜図１６に示す下顎用臼歯８１、９１、１０１、１１１は、概略、レジン臼歯の咬合面を欠除したレジン臼歯本体部材８２、９２、１０２、１１２に、ジルコニア焼結体からなる咬頭受部材８３、９３、１０３、１１３をインサート成形により固定したものである。咬頭受部材８３、９３、１０３、１１３は、前記上顎用臼歯のブレード咬頭の咬頭受面として、遠心側が高く近心側に向かって低くなる臼状凹湾曲面が形成されており（図示せず。）、咬頭受部材８３、９３、１０３、１１３の裏側の略中央からアンダーカットを有するピン状の突起部８４、９４、１０４、１１４が突設されている。
レジン臼歯本体部材８２、９２、１０２、１１２と咬頭受部材８３、９３、１０３、１１３は、レジン臼歯本体部材８２、９２、１０２、１１２を成形する成形型内に、咬頭受部材８３、９３、１０３、１１３を設置し、突起部８４、９４、１０４、１１４を埋設するようにインサート成形することで固定すればよい。
咬頭受部材８３、９３、１０３、１１３とレジン臼歯本体部材８２、９２、１０２、１１２とは、インサート成形により確実に固定される。
【００３９】
図１３に示す第１小臼歯、図１４に示す第２小臼歯、図１５に示す第１大臼歯、図１６に示す第２大臼歯の、咬頭受部材、レジン臼歯本体部材はそれぞれサイズ、形状等が異なるものとして示されている。
【００４０】
図９〜図１２に示された上顎用臼歯４１、５１、６１、７１、図１３〜図１６に示された下顎用臼歯８１、９１、１０１、１１１は、いずれも、レジン臼歯本体部材を有することから、通常のレジン臼歯と同様に使用して義歯を作製できる。
すなわち、通法に従って作製された上顎用の咬合床の蝋堤に、例えば、レジン製の上顎用前歯、下顎用の咬合床の蝋堤に、例えば、レジン製の下顎用前歯をそれぞれ排列し、次いで、上顎用咬合床の蝋堤の右側に上顎用臼歯４１、５１、６１、７１、左側に左用の上顎用臼歯を第１小臼歯から順に第２大臼歯まで排列する。そして、下顎用咬合床の蝋堤の右側に下顎用臼歯８１、９１、１０１、１１１、左側に左用の下顎用臼歯を第１小臼歯から順に第２大臼歯まで排列する。下顎用咬合床の蝋堤に下顎用臼歯８１、９１、１０１、１１１を排列する際、上顎用咬合床の蝋堤に排列された上顎用臼歯４１、５１、６１、７１との咬合調整を行う。その後、上下顎用咬合床をそれぞれ石膏埋没、流蝋し、得られたキャビティ内に餅状レジンをそれぞれ充填し、その後、餅状レジンを重合させることで義歯を得ることができる。
【００４１】
図１７に上顎用臼歯４１、５１、６１、７１、下顎用臼歯８１、９１、１０１、１１１等が排列された義歯１１７の咬合面観を示し、図１８に義歯の咬合時における上顎用臼歯７１、下顎用臼歯１１１の咬合接触状態を示す。
【００４２】
図９〜１４に示す上顎用臼歯は、上顎用のレジン臼歯本体部材に、ジルコニア焼結体からなる十字状のブレード咬頭を有する咬頭部材が固定されたものであって、耐久性、審美性に優れたものであり、また、咬合接触面積を狭くすることができ、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができる。
また、図１３〜図１６に示す下顎用臼歯も、下顎用のレジン臼歯本体部材に、ジルコニア焼結体からなる臼状凹湾曲面が形成され咬頭受部材が固定されてされたものであって、審美性に加え、耐久性にも優れる。
そして、上顎用臼歯の咬頭部材、下顎用臼歯の咬頭受部材は、必要とする色調に着色することが可能である。
【００４３】
また、これらの上顎用臼歯、下顎用臼歯は、個別臼歯であることから、咬合床の蝋堤への排列において、図１の上顎用連結臼歯、図２の下顎用連結臼歯と比べ、排列の自由度が高く、個々の患者の症例に応ずることが容易である。
そして、いずれもレジン臼歯本体部材を有することから、義歯床との接着が良好であるが、上顎用臼歯、下顎用臼歯の基底面に義歯床との接着を向上させるための維持孔や粗面を設けてもよい。
【００４４】
図９〜１４に示す上顎用臼歯において、上顎用臼歯全体をジルコニア焼結体としてもよい。上顎用臼歯全体をジルコニア焼結体とした場合は、裏側（基底面）略中央からアンダーカットを有するピン状の突起部を突設すればよい。
図１３〜図１６に示す下顎用臼歯全体をジルコニア焼結体としてもよいし、レジンとしてもよい。下顎用臼歯全体をジルコニア焼結体とした場合は、裏側（基底面）略中央からアンダーカットを有するピン状の突起部を突設すればよい。
【００４５】
図１９〜図２２は、この考案の上顎用の人工臼歯のさらに他の実施の形態であって、ジルコニア焼結体からなる十字状のブレード咬頭が形成された咬頭部材が、第１小臼歯、第２小臼歯では、上顎用のレジン臼歯本体部材の舌側咬頭部位に固定されてなるものとして、第１大臼歯、第２大臼歯では、上顎用のレジン臼歯本体部材の近心舌側咬頭部位に固定されてなるものとして示されており、図１９は第１小臼歯、図２０は第２小臼歯、図２１は第１大臼歯、図２２は第２大臼歯であって、図１９〜図２２において、それぞれ、（ａ）は咬合面観、（ｂ）は一部破断した近心面観である。図１９〜図２２に示すこれら上顎用臼歯１２１、１３１、１４１、１５１は正中線に対し右側の臼歯として示されている。
【００４６】
図１９、図２０に示す上顎用臼歯１２１、１３１は、概略、レジン臼歯の咬合面の舌側咬頭部位を欠除したレジン臼歯本体部材１２２、１３２に、欠除面に相当するサイズの咬頭部材１２３、１３３をインサート成形により固定したものである。
図２１、図２２に示す上顎用臼歯１４１、１５１は、概略、レジン臼歯の咬合面の近心舌側咬頭部位を欠除したレジン臼歯本体部材１４２、１５２に、欠除面に相当するサイズの咬頭部材１４３、１５３をインサート成形により固定したものである。
ジルコニア焼結体からなる咬頭部材１２３、１３３、１４３、１５３は、板状ベース１２４、１３４、１４４、１５４の表側（咬合面側）にブレード咬頭１２５、１３５、１４５、１５５が設けられ、裏側の略中央からアンダーカットを有するピン状の突起部１２６、１３６、１４６、１５６が突設されている。
レジン臼歯本体部材１２２、１３２、１４２、１５２と咬頭部材１２３、１３３、１４３、１５３は、レジン臼歯本体部材１２２、１３２、１４２、１５２を成形する成形型内に、咬頭部材１２３、１３３、１４３、１５３を設置し、突起部１２６、１３６、１４６、１５６を埋設するようにインサート成形することで固定すればよい。
咬頭部材１２３、１３３、１４３、１５３とレジン臼歯本体部材１２２、１３２、１４２、１５２とは、インサート成形により確実に固定される
【００４７】
図１９に示す第１小臼歯、図２０に示す第２小臼歯、図２１に示す第１大臼歯、図２２に示す第２大臼歯の咬頭部材、レジン臼歯本体部材はそれぞれサイズ、形状等が異なるものとして示されている。
咬頭部材１２３、１３３、１４３、１５３の形状等は、図５に示す上顎用臼歯２１のブレード咬頭２２とサイズが異なる他は、同様であるから、説明は省略する。
【００４８】
図２３〜図２６は、この考案の下顎用の人工臼歯のさらに他の実施の形態であって、図１９〜図２２に示す上顎用臼歯に対合する下顎用臼歯であって、ジルコニア焼結体からなる咬頭受部材が下顎用の個別のレジン臼歯本体部材に固定されてなるものとして示されており、図２３は第１小臼歯、図２４は第２小臼歯、図２５は第１大臼歯、図２６は第２大臼歯であって、図２３〜図２６において、それぞれ、（ａ）は咬合面観、（ｂ）は一部破断した近心面観である。図２３〜図２６に示すこれら下顎用臼歯１６１、１７１、１８１、１９１は正中線に対し右側の臼歯として示されている。
【００４９】
図２３〜図２６に示す下顎用臼歯１６１、１７１、１８１、１９１は、概略、レジン臼歯の咬合面を欠除したレジン臼歯本体部材１６２、１７２、１８２、１９２に、欠如したと同形のジルコニア焼結体からなる咬頭受部材１６３、１７３、１８３、１９３をインサート成形により固定したものである。咬頭受部材１６３、１７３、１８３、１９３は、前記上顎用臼歯のブレード咬頭の咬頭受面として、それぞれのレジン歯の咬合面と同形であり、咬頭受部材１６３、１７３、１８３、１９３の裏側の略中央からアンダーカットを有するピン状の突起部１６４、１７４、１８４、１９４が突設されている。
レジン臼歯本体部材１６２、１７２、１８２、１９２と咬頭受部材１６３、１７３、１８３、１９３は、レジン臼歯本体部材１６２、１７２、１８２、１９２を成形する成形型内に、咬頭受部材１６３、１７３、１８３、１９３を設置し、突起部１６４、１７４、１８４、１９４を埋設するようにインサート成形することで固定すればよい。
咬頭受部材１６３、１７３、１８３、１９３とレジン臼歯本体部材１６２、１７２、１８２、１９２とは、インサート成形により確実に固定される。
【００５０】
図２３に示す第１小臼歯、図２４に示す第２小臼歯、図２５に示す第１大臼歯、図２６に示す第２大臼歯の咬頭受部材、レジン臼歯本体部材はそれぞれサイズ、形状等が異なるものとして示されている。
【００５１】
図１９〜図２２に示された上顎用臼歯１２１、１３１、１４１、１５１、図２３〜図２６に示された下顎用臼歯１６１、１７１、１８１、１９１は、いずれも、レジン臼歯本体部材を有することから、通常のレジン臼歯と同様に使用して義歯を作製できる。
すなわち、通法に従って作製された上顎用の咬合床の蝋堤に、例えば、レジン製の上顎用前歯、下顎用の咬合床の蝋堤に、例えば、レジン製の下顎用前歯をそれぞれ排列し、次いで、上顎用咬合床の蝋堤の右側に上顎用臼歯１２１、１３１、１４１、１５１、左側に左用の上顎用臼歯を第１小臼歯から順に第２大臼歯まで排列する。
そして、下顎用咬合床の蝋堤の右側に下顎用臼歯１６１、１７１、１８１、１９１、左側に左用の下顎用臼歯を第１小臼歯から順に第２大臼歯まで排列する。下顎用咬合床の蝋堤に下顎用臼歯１６１、１７１、１８１、１９１を排列する際、上顎用咬合床の蝋堤に排列された上顎用臼歯１２１、１３１、１４１、１５１との咬合調整を行う。その後、上下顎用咬合床をそれぞれ石膏埋没、流蝋し、得られたキャビティ内に餅状レジンをそれぞれ充填し、その後、餅状レジンを重合させることで義歯を得ることができる。
【００５２】
図２７に上顎用臼歯１２１、１３１、１４１、１５１、下顎用臼歯１６１、１７１、１８１、１９１等が排列された義歯１９７の咬合面観を示し、図２８に義歯１９７の咬合時における上顎用臼歯１２１、１３１、１４１、１５１、下顎用臼歯１６１、１７１、１８１、１９１の咬合接触状態を示す。
【００５３】
図１９、図２０に示す上顎用臼歯は、上顎用のレジン臼歯本体部材の舌側咬頭部位に、ジルコニア焼結体からなる十字状のブレード咬頭を有する舌側咬頭部材が固定されたもの、図２１、図２２に示す上顎用臼歯は、レジン臼歯本体部材の近心舌側咬頭部位に、ジルコニア焼結体からなる十字状のブレード咬頭を有する近心舌側咬頭部材が固定されたものであって、いずれの上顎用臼歯も、耐久性、審美性に優れたものであり、また、ブレード咬頭による咬合接触面積をより狭くすることができ、咬合力が弱くても十分な咀嚼効果を得ることができ、しかも、脆弱な粘膜組織に対して加わる咬合圧を少なくでき、さらに義歯床の側方揺動を押さえることができ、そのため義歯の安定性がよく、床下組織を長期にわたって健全な状態に維持することができる。
また、図２３〜図２６に示す下顎用臼歯は、レジン臼歯の咬合面を欠除したレジン臼歯本体部材１６２、１７２、１８２、１９２に、欠如したと同形の咬頭受部材が固定されてされたものであって、審美性に加え、耐久性にも優れる。
そして、上顎用臼歯の咬頭部材、下顎用臼歯の咬頭受部材は、必要とする色調に着色することが可能である。
【００５４】
また、これらの上顎用臼歯、下顎用臼歯は、個別臼歯であることから、咬合床の蝋堤への排列において、図１の上顎用連結臼歯、図２の下顎用連結臼歯と比べ、排列の自由度が高く、個々の患者の症例に応ずることが容易である。
そして、いずれもレジン臼歯本体部材を有することから、義歯床との接着が良好であるが、上顎用臼歯、下顎用臼歯の基底面に義歯床との接着を向上させるための維持孔を設けてもよい。
【００５５】
図１９、図２０に示す上顎用臼歯１２１、１３１において、舌側咬頭だけでなく、頬側咬頭も含めジルコニア焼結体からなる咬頭部材としてもよく、図２１、図２２に示す上顎用臼歯１４１、１５１において、近心舌側咬頭だけでなく、遠心舌側咬頭、近心頬側咬頭、遠心頬側咬頭も含めジルコニア焼結体からなる咬頭部材としてもよい。これらの場合、アンダーカットを有するピン状の突起部の位置、サイズ等は適宜変更すればよい。また、図１９〜図２２に示す上顎用臼歯全体をジルコニア焼結体としてもよい。この場合は、上顎用臼歯の裏側（基底面）略中央からアンダーカットを有するピン状の突起部を突設すればよい。
【００５６】
図２３〜図２６に示す下顎用臼歯全体をジルコニア焼結体としてもよいし、レジンとしてもよい。下顎用臼歯全体をジルコニア焼結体とした場合は、裏側（基底面）略中央からアンダーカットを有するピン状の突起部を突設すればよい。
【００５７】
上記の人工臼歯においては、ブレード咬頭は、十字状（すなわち、四方）に交差したものとして説明したが、これに限られず、Ｙ、Ｔ字等の三方交差、五方交差、Ｖ、Ｕ字状交差等であってもよい。こういったことからも、各ブレードの方向は、頬舌方向、遠心方向だけに限られるものではない。
【００５８】
また、上顎用臼歯と下顎用臼歯は、前述した組み合わせに限定されるものではなく、例えば、図１に示す上顎連結用臼歯と図６に示す下顎用臼歯とを組み合わせる場合、上顎を図１９〜図２２に示す上顎用第１小臼歯、第２小臼歯、第１大臼歯、第２大臼歯を連結した上顎用連結臼歯とし、下顎を図２３〜図２６に示す下顎用第１小臼歯、第２小臼歯、第１大臼歯、第２大臼歯を連結した下顎用連結臼歯とし、これらを組み合わせる場合等、適宜の組み合わせが可能である。
【００５９】
また、ジルコニア焼結体からなる咬頭部材、咬頭受部材をレジン臼歯本体部材に固定するには、インサート成形による場合に限定されず、接着材で固定してもよい。
これを、図２９に上顎用の第１小臼歯として例示する。図２９に示す上顎用の第１小臼歯２０１は、レジン臼歯本体部材２０２の欠如面に穿設された円錐状の孔２０２ａに、咬頭部材２０３の裏側の円錐状の突起部２０４を挿入し、接着材２０５で固定したものである。その他の上顎用臼歯、下顎用臼歯も同様にすればよい。接着材としては、レジンセメント等が使用できる。
図２９に示す臼歯においては、咬頭部材の裏側に設けた突起部を円錐状としているが、これに限られるものではなく、柱状、アンダーカットを有する突起等適宜の形状が採用できる。
【００６０】
そして、レジン臼歯本体部材等におけるレジンとは、歯科用レジンに限られず、歯科用硬質レジンを含むものである。
【符号の説明】
【００６１】
１  上顎用連結臼歯
２、３、４、５  ブレード咬頭
６、７、８、９  ベース
１０  突起部
１１  下顎用連結臼歯
１２、１３、１４、１５  臼歯部
１６  接合調節部
１７  突起部
１９  義歯
【図１】
0003155831.tif 000003
【図２】
0003155831.tif 000004
【図３】
0003155831.tif 000005
【図４】
0003155831.tif 000006
【図５】
0003155831.tif 000007
【図６】
0003155831.tif 000008
【図７】
0003155831.tif 000009
【図８】
0003155831.tif 000010
【図９】
0003155831.tif 000011
【図１０】
0003155831.tif 000012
【図１１】
0003155831.tif 000013
【図１２】
0003155831.tif 000014
【図１３】
0003155831.tif 000015
【図１４】
0003155831.tif 000016
【図１５】
0003155831.tif 000017
【図１６】
0003155831.tif 000018
【図１７】
0003155831.tif 000019
【図１８】
0003155831.tif 000020
【図１９】
0003155831.tif 000021
【図２０】
0003155831.tif 000022
【図２１】
0003155831.tif 000023
【図２２】
0003155831.tif 000024
【図２３】
0003155831.tif 000025
【図２４】
0003155831.tif 000026
【図２５】
0003155831.tif 000027
【図２６】
0003155831.tif 000028
【図２７】
0003155831.tif 000029
【図２８】
0003155831.tif 000030
【図２９】
0003155831.tif 000031